(57)【特許請求の範囲】
【請求項１】
１個又は複数個の回路ユニットと入出力コネクタを搭載するプリント回路基板において、
前記回路ユニットを搭載する基板と、前記基板に搭載された非退色性の非退色入出力コネクタ及び退色し易い退色性の退色入出力コネクタと、からなり、前記非退色入出力コネクタは、黄色系の黄色非退色入出力コネクタであり、かつ、前記退色性の退色入出力コネクタから離れた位置に配置されていることを特徴とするプリント回路基板。
【請求項２】
１個又は複数個の回路ユニットと入出力コネクタを搭載するプリント回路基板において、
前記回路ユニットを搭載する基板と、前記基板に搭載された非退色性の非退色入出力コネクタ及び退色し易い退色性の退色入出力コネクタと、からなり、前記非退色入出力コネクタは、該退色入出力コネクタの退色後の色とは異なる色で構成され、かつ、前記退色性の退色入出力コネクタと隣り合う位置に配置されていることを特徴とするプリント回路基板。
【請求項３】
請求項１又は２に記載のプリント回路基板において、前記退色入出力コネクタと前記非退色入出力コネクタとの極数が同じであることを特徴とするプリント回路基板。
【請求項４】
請求項２に記載のプリント回路基板において、非退色入出力コネクタは、赤色系の赤色非退色入出力コネクタであることを特徴とするプリント回路基板。
【請求項５】
請求項２に記載のプリント回路基板において、非退色入出力コネクタは、青色系の青色非退色入出力コネクタであることを特徴とするプリント回路基板。
【請求項６】
請求項１又は２に記載のプリント回路基板において、非退色入出力コネクタは、非退色性の材質からなることを特徴とするプリント回路基板。
【請求項７】
請求項１又は２に記載のプリント回路基板において、非退色入出力コネクタは、アクリル樹脂からなることを特徴とするプリント回路基板。
【請求項８】
請求項１又は２に記載のプリント回路基板において、退色し易い退色性の退色入出力コネクタは、自然色系の自然色退色入出力コネクタであることを特徴とするプリント回路基板。
【請求項９】
請求項１又は２に記載のプリント回路基板において、退色し易い退色性の退色入出力コネクタは、白色系の白色退色入出力コネクタであることを特徴とするプリント回路基板。
【請求項１０】
請求項１又は２に記載のプリント回路基板において、退色し易い退色性の退色入出力コネクタは、乳白色系の乳白色退色入出力コネクタであることを特徴とするプリント回路基板。
【請求項１１】
請求項１乃至１０のいずれか一項に記載のプリント回路基板において、基板に非退色入出力コネクタが搭載される入出力コネクタ搭載面内に、前記非退色入出力コネクタの色名を表示したことを特徴とするプリント回路基板。
【請求項１２】
請求項１乃至１１のいずれか一項に記載のプリント回路基板において、非退色入出力コネクタは、電線束に接続された非退色性の電線束非退色コネクタと接続することを特徴とするプリント回路基板。
【請求項１３】
請求項１乃至１２のいずれか一項に記載のプリント回路基板を具備することを特徴とする電子機器。
【発明の詳細な説明】
【０００１】
【発明の属する技術分野】
本発明は、プリント回路基板及びそのプリント回路基板を具備する電子機器に関し、詳しくは、１個又は複数個の回路ユニットと入出力コネクタを搭載するプリント回路基板及びそのプリント回路基板を具備して１個又は複数個の回路ユニットからなる、電子写真法を用いた複写機、ファクシミリ装置、プリンタ或いはこれらの複合機、その他の装置等の電子機器に関する。
【０００２】
【従来の技術】
近年、使用済み等のプリント回路基板、及び、そのプリント回路基板を具備する電子機器が、市場から回収され、清掃、再生等の処置が行なわれて、再び使用するリサイクルが行なわれている。
従来のプリント回路基板は、挿入されるコネクタ本体から導出された線材の色と、同色で部品シンボルのシルク印刷を表示して、コネクタ挿入においては、コネクタ本体へのコネクタの回路番号を表した回路記号の表示を不要にして、コネクタ本体のコストダウンを図り、プリント回路基板にシルク印刷されたコネクタ挿入部の回路記号に対するコネクタ本体の目視による回路記号の照合確認が選色にして見間違えによる誤挿入を低減し、製品組立時の回路記号を貼り付け表示したラベルの挟み込みや敗れを防止することは公知である（特開平１０−６５２８８号の公報を参照）。
然し、１個又は複数個の回路ユニットと入出力コネクタを搭載するプリント回路基板、及び、そのプリント回路基板を具備して１個又は複数個の回路ユニットからなる、電子写真法を用いた複写機、ファクシミリ装置、プリンタ或いはこれらの複合機、その他の装置等の使用済製品の電子機器は、市場から回収し、清掃、再生等の処置を行ない、再び使用するリサイクルにおいて、プリント回路基板は再生処置の際、搭載されているコネクタが退色や変色している場合、アルコール等の溶剤で清掃作業や再生作業をしたり、退色や変色が著しい場合はコネクタを交換して再使用するためにコスト高にもなっていた。
特に、コネクタ本体の材質が退色しやすい、例えば、ナイロン、退色しやすい自然色系、白色系、乳白色系の場合は、退色、変色が目立ち、リサイクル再生時にアルコール等の溶剤で清掃や再生の作業が増加したり、退色や変色が著しい場合にはコネクタを交換して再使用するためにコスト高にもなる支障が多かった。
【０００３】
更に、コネクタ本体が、退色し易い材質の、例えば、ナイロン、退色し易い自然色系、白色系、乳白色系の場合、退色、変色すると黄色系になり、その近傍に同一シリーズのコネクタで極数が同じ黄色のコネクタが設置されている場合、電線束側のコネクタを誤挿入し、機器を誤動作させたり、部品の破損に至ることがあった。
又、コネクタ本体の色、又は、コネクタ本体から導出されている線材の色を、プリント基板のコネクタ近傍に文字化した回路記号として表示することは公知である（特開平１０−６５２９０号の公報を参照）
然し、コネクタ本体の色と、コネクタ本体から導出されている線材の色が異なる場合には、表示されることが作業者を混乱させ、誤作業を行なう恐れがある。
そのために、例えば、圧接タイプのコネクタにおいては、交換時に、電線束をカットして再度圧接するために、電線束長が短くなり、再び使用できないこともあった。
従って、従来のプリント回路基板は、再び使用するリサイクルの再生処置の際、搭載されているコネクタが退色や変色しているために、清掃作業、再生作業、交換作業等が増加し、電線束側のコネクタを誤挿入する誤作業をして、機器を誤動作させたり、部品破損が発生し、コスト高にもなると言う不具合が生じていた。
【０００４】
【発明が解決しようとする課題】
従来のプリント回路基板は、再び使用するリサイクルの再生処置の際、搭載されているコネクタが退色や変色しているために、清掃作業、再生作業、交換作業等が増加し、電線束側のコネクタを誤挿入する誤作業をして、機器を誤動作させたり部品破損が発生し、コスト高にもなると言う問題が発生していた。
そこで本発明の課題は、このような問題点を解決するものである。即ち、再び使用するリサイクルの再生処置の際の清掃等の作業を軽減し、電線束側のコネクタを誤挿入する誤作業による機器の誤動作や部品破損の発生を防止し、低コストで省資源のプリント回路基板及びそのプリント回路基板を具備する電子機器を提供することを目的とする。
【０００５】
【課題を解決するための手段】
上記目的を達成するために、請求項１の発明は、１個又は複数個の回路ユニットと入出力コネクタを搭載するプリント回路基板において、前記回路ユニットを搭載する基板と、前記基板に搭載された非退色性の非退色入出力コネクタ及び退色し易い退色性の退色入出力コネクタと、からなり、前記非退色入出力コネクタは、黄色系の黄色非退色入出力コネクタであり、かつ、前記退色性の退色入出力コネクタから離れた位置に配置されていることを特徴とする。
請求項２の本発明は、１個又は複数個の回路ユニットと入出力コネクタを搭載するプリント回路基板において、前記回路ユニットを搭載する基板と、前記基板に搭載された非退色性の非退色入出力コネクタ及び退色し易い退色性の退色入出力コネクタと、からなり、前記非退色入出力コネクタは、該退色入出力コネクタの退色後の色とは異なる色で構成され、かつ、前記退色性の退色入出力コネクタと隣り合う位置に配置されていることを特徴とする。
請求項３の本発明は、請求項１又は２に記載のプリント回路基板において、前記退色入出力コネクタと前記非退色入力コネクタとの極数が同じであることを特徴とする。
請求項４の本発明は、請求項２に記載のプリント回路基板において、非退色入出力コネクタは、赤色系の赤色非退色入出力コネクタであることを特徴とする。
請求項５の本発明は、請求項２に記載のプリント回路基板において、非退色入出力コネクタは、青色系の青色非退色入出力コネクタであることを特徴とする。
請求項６の本発明は、請求項１又は２に記載のプリント回路基板において、非退色入出力コネクタは、非退色性の材質からなることを特徴とする。
請求項７の本発明は、請求項１又は２に記載のプリント回路基板において、非退色入出力コネクタは、アクリル樹脂からなることを特徴とする。
請求項８の本発明は、請求項１又は２に記載のプリント回路基板において、退色し易い退色性の退色入出力コネクタは、自然色系の自然色退色入出力コネクタであることを特徴とするプリント回路基板。
請求項９の本発明は、請求項１又は２に記載のプリント回路基板において、退色し易い退色性の退色入出力コネクタは、白色系の白色退色入出力コネクタであることを特徴とする。
【０００６】
請求項１０の本発明は、請求項１又は２に記載のプリント回路基板において、退色し易い退色性の退色入出力コネクタは、乳白色系の乳白色退色入出力コネクタであることを特徴とする。
請求項１１の本発明は、請求項１乃至１０のいずれか一項に記載のプリント回路基板において、基板に非退色入出力コネクタが搭載される入出力コネクタ搭載面内に、前記非退色入出力コネクタの色名を表示したことを特徴とする。
請求項１２の本発明は、請求項１乃至１１のいずれか一項に記載のプリント回路基板において、非退色入出力コネクタは、電線束に接続された非退色性の電線束非退色コネクタと接続することを特徴とする。
請求項１３の本発明は、請求項１乃至１２のいずれか一項に記載のプリント回路基板を具備することを特徴とする電子機器。
【０００７】
【発明の実施の形態】
次に、本発明の実施の形態を図面を参照して詳細に説明する。
図１において、１個又は複数個の回路ユニットと入出力コネクタを搭載するプリント回路基板０は、１個又は複数個の回路ユニットを搭載する基板１と、上記基板１に搭載された非退色性の材質のアクリル樹脂からなる非退色性の非退色入出力コネクタ２とからなり、再び使用するリサイクルの再生処置の際の、清掃等の作業を軽減し、後述する図示しない電線束１０側の後述する図示しない電線束非退色コネクタ６を誤挿入する誤作業による、機器の誤動作や部品破損等の発生を防止し、低コストで省資源となる。
上記基板１は、略全面に各種の複数の回路ユニット１１が回路ユニット搭載面１ａに搭載され、周囲の入出力コネクタ搭載面１ｂには上記回路ユニット１１と接続される上記非退色入出力コネクタ２の同一コネクタメーカーの同一シリーズである黄色非退色入出力コネクタ２ａ、赤色非退色入出力コネ２ｂ、青色非退色入出力コネクタ２ｃと、メーカー同一、又は、違いのシリーズ違いの入出力コネクタ２ｄが搭載されて配置されている。
尚、複数個の上記非退色入出力コネクタ２の配置は、勘合される図示しない上記電線束１０側のコネクタの誤挿入を防止する為に、隣り合う各上記非退色入出力コネクタ２や、近接する各上記非退色入出力コネクタ２は極数を変えたり、同一極数の場合はコネクタの色を適宜に選択される。
【０００８】
図２において、上記基板１においては、複数の上記回路ユニット１１が上記回路ユニット搭載面１ａに搭載され、上記黄色非退色入出力コネクタ２ａは、退色し易い退色性の退色入出力コネクタ３の上記黄色非退色入出力コネクタ２ａと同一極数の各自然色退色入出力コネクタ３ａ、白色退色入出力コネクタ３ｂ、乳白色退色入出力コネク３ｃから離れた位置に配置されている。
だから、退色し易い退色性の上記退色入出力コネクタ３の上記黄色非退色入出力コネクタ２ａと同一極数の各上記自然色退色入出力コネクタ３ａ、上記白色退色入出力コネクタ３ｂ、上記乳白色退色入出力コネク３ｃが、例えば、３年乃至５年の長期間にわたりユーザに使用されて、黄色に変色することがあっても、上記黄色非退色入出力コネクタ２ａとの見分けが付かなくなることは無くなる。
従って、上記退色入出力コネクタ３を再び使用するリサイクルの再生処置の際の清掃等の作業を軽減し、図示しない上記電線束５側のコネクタを誤挿入する誤作業による機器の誤動作や部品破損の発生を防止し、低コストで省資源の上記プリント回路基板０を提供することが出来るようになった。
上記基板１においては、上記赤色非退色入出力コネクタ２ｂは、退色し易い退色性の上記退色入出力コネクタ３の各同一極数の上記自然色退色入出力コネクタ３ａ、上記白色退色入出力コネクタ３ｂ、上記乳白色退色入出力コネク３ｃから近い位置に配置されても、退色し易い退色性の上記退色入出力コネクタ３の上記赤色非退色入出力コネクタ２ｂと同一極数の各上記自然色退色入出力コネクタ３ａ、上記白色退色入出力コネクタ３ｂ、上記乳白色退色入出力コネク３ｃが、例えば、３年乃至５年の長期間にわたりユーザに使用されて、黄色に変色することがあっても、上記赤色非退色入出力コネクタ２ｂとの見分けが付かなくなることは無くなる。
従って、上記退色入出力コネクタ３を再び使用するリサイクルの再生処置の際の清掃等の作業を軽減し、図示しない上記電線束５側のコネクタを誤挿入する誤作業による機器の誤動作や部品破損の発生を防止し、低コストで省資源の上記プリント回路基板０を提供することが出来るようになった。
上記基板１においては、上記青色非退色入出力コネクタ２ｃは、退色し易い退色性の上記退色入出力コネクタ３の上記青色非退色入出力コネクタ２ｃと同一極数の各上記自然色退色入出力コネクタ３ａ、上記白色退色入出力コネクタ３ｂ、上記乳白色退色入出力コネク３ｃから近い位置に配置されても、退色し易い退色性の上記退色入出力コネクタ３の上記自然色退色入出力コネクタ３ａ、上記白色退色入出力コネクタ３ｂ、上記乳白色退色入出力コネクタ３ｃが、例えば、３年乃至５年の長期間にわたりユーザに使用されて、黄色に変色することがあっても、上記青色非退色入出力コネクタ２ｃとの見分けが付かなくなることは無くなる。
従って、上記退色入出力コネクタ３を再び使用するリサイクルの再生処置の際の清掃等の作業を軽減し、図示しない上記電線束５側のコネクタを誤挿入する誤作業による機器の誤動作や部品破損の発生を防止し、低コストで省資源の上記プリント回路基板０を提供することが出来るようになった。
【０００９】
図３において、上記基板１においては、上記基板１に上記非退色入出力コネクタ２の上記黄色非退色入出力コネクタ２ａ、上記赤色非退色入出力コネクタ２ｂ、上記青色非退色入出力コネクタ２ｃが搭載されるシルク印刷等で形成されたコネクタ半田付け位置を示す上記入出力コネクタ搭載面１ｂ内の黄（Ｙ）入出力コネクタ搭載面１ｂ１内、赤（Ｒ）入出力コネクタ搭載面１ｂ２内、青（Ｂ）入出力コネクタ搭載面１ｂ３内に上記非退色入出力コネクタ２の各上記黄色非退色入出力コネクタ２ａ、上記赤色非退色入出力コネクタ２ｂ、上記青色非退色入出力コネクタ２ｃの色名４の各黄（Ｙ）４ａ、赤（Ｒ）４ｂ、青（Ｂ）４ｃがシルク印刷等で形成されて表示されている。
上記非退色入出力コネクタ２の各上記黄色非退色入出力コネクタ２ａ、上記赤色非退色入出力コネクタ２ｂ、上記青色非退色入出力コネクタ２ｃの接触ピン２ａ１〜ｎ、接触ピン２ｂ１〜ｎ、接触ピン２ｃ１〜ｎは、上記基板１に半田付けされるようになっている。
上記非退色入出力コネクタ２の各上記黄色非退色入出力コネクタ２ａ、上記赤色非退色入出力コネクタ２ｂ、上記青色非退色入出力コネクタ２ｃのアドレス７の各アドレス７ａ、アドレス７ｂ、アドレス７ｃは、シルク印刷等で形成されている。
上記非退色入出力コネクタ２の各上記黄色非退色入出力コネクタ２ａ、上記赤色非退色入出力コネクタ２ｂ、上記青色非退色入出力コネクタ２ｃの上記色名４の各上記黄（Ｙ）４ａ、上記赤（Ｒ）４ｂ、上記青（Ｂ）４ｃの表示は、上記非退色入出力コネクタ２の各上記黄色非退色入出力コネクタ２ａ、上記赤色非退色入出力コネクタ２ｂ、上記青色非退色入出力コネクタ２ｃが、上記基板１に半田付けされると隠れて見えない位置に形成されている。
だから、上記非退色入出力コネクタ２の各上記黄色非退色入出力コネクタ２ａ、上記赤色非退色入出力コネクタ２ｂ、上記青色非退色入出力コネクタ２ｃの装着時には、作業者の上記非退色入出力コネクタ２の各上記黄色非退色入出力コネクタ２ａ、上記赤色非退色入出力コネクタ２ｂ、上記青色非退色入出力コネクタ２ｃの色違いに対する注意を促し、且つ、上記プリント回路基板０に図示しない上記電線束５に接続された図示しない上記電線束非退色入出力コネクタ６を挿入する際には、上記色名４の各上記黄（Ｙ）４ａ、上記赤（Ｒ）４ｂ、上記青（Ｂ）４ｃの表示は見えないので、作業者が図示しない上記電線束５の色表示なのか、図示しない上記電線束非退色入出力コネクタ６の色表示なのかの混乱を起すことが無い。
従って、上記退色入出力コネクタ３を再び使用するリサイクルの再生処置の際の清掃等の作業を軽減し、図示しない上記電線束５側のコネクタを誤挿入する誤作業による機器の誤動作や部品破損の発生を防止し、低コストで省資源の上記プリント回路基板０を提供することが出来るようになった。
【００１０】
図４において、上記プリント回路基板０において、上記基板１に搭載された上記非退色入出力コネクタ２の各上記黄色非退色入出力コネクタ２ａ、上記赤色非退色入出力コネクタ２ｂ、上記青色非退色入出力コネクタ２ｃと、上記電線束５の電線束５ａ、電線束５ｂ、電線束５ｃに接続された非退色性の上記電線束非退色コネクタ６の黄色電線束非退色入出力コネクタ６ａ、赤色電線束非退色入出力コネクタ６ｂ、青色電線束非退色入出力コネクタ６ｃとは、挿抜、勘合され、お互いの色は挿入する時に誤挿入されないようにするために同じ色で形成され、上記黄色非退色入出力コネクタ２ａと上記黄色電線束非退色入出力コネクタ６ａ、上記赤色非退色入出力コネクタ２ｂと上記赤色電線束非退色入出力コネクタ６ｂ、上記青色非退色入出力コネクタ２ｃと上記青色電線束非退色入出力コネクタ６ｃが接続するようになっているが、この場合退色、変色しにくい材質、色の、例えば、黄色、赤色、青色等の色で形成されている。
尚、基板対電線関係のコネクタで図示したが、図示しない電線対電線のコネクタの場合であっても良い。
従って、再び使用するリサイクルの再生処置の際の清掃等の作業を軽減し、上記電線束５側の上記電線束非退色コネクタ６を誤挿入する誤作業による機器の誤動作や部品破損の発生を防止し、低コストで省資源の上記プリント回路基板０を提供することが出来るようになった。
【００１１】
図５において、電子機器１０の、例えば、画像形成装置の具備する上記プリント回路基板０には、複数個の上記回路ユニット１１のＡＣ電源電力を取り込み各種の電源を供給する電源制御回路ユニット１１ａ、基本的な作造動作を制御するエンジン制御回路ユニット１１ｂ、及び、帯電、転写、現像時の高圧電源を供給する高圧電源供給制御回路ユニット１１ｃが搭載されている。
上記電源制御回路ユニット１１ａは、画像担持体１２のドラム形状の感光体を図示の矢印Ａ方向に回転駆動する図示しない駆動モータ、原稿画像（ｏ）を読み取る走査ユニット１３を図示の矢印Ｂ方向に移動する図示しない駆動モータ等の各種の電源を供給するようになっている。
上記エンジン制御回路ユニット１１ｂは、被検知物である給紙ユニット１４から図示の矢印Ｃ方向に給送される被転写体（Ｐ）の記録紙の移動によって、記録紙の移動方向に複数個が配置され常時は開放状態にある図示しない光センサの光路を閉鎖する等の各種の画像を形成するタイミングを制御するようになっている。
上記高圧電源供給制御回路ユニット１１ｃは、上記画像担持体１２のドラム形状の感光体を均一に帯電する帯電器１５、上記帯電器１５で均一に帯電された上記画像担持体１２のドラム形状の感光体に潜像形成手段１６で形成された潜像を現像してトナー像を形成する現像ユニット１７、上記現像ユニット１７によって形成されたトナー像を上記給紙ユニット１４から給送される被転写体（Ｐ）の記録紙に転写する転写ユニット１８等に高圧電源を供給するようになっている。
上記電源制御回路ユニット１１ａにはＡＣ電力を取り込むＡＣ電力取り込みコネクタに上記非退色入出力コネクタ２の上記黄色非退色入出力コネクタ２ａ、上記エンジン制御回路ユニット１１ｂは光センサの光センサコネクタに上記非退色入出力コネクタ２の上記赤色非退色入出力コネクタ２ｂ、上記高圧電源供給制御回路ユニット１１ｃは高圧出力の高圧出力コネクタに上記非退色入出力コネクタ２の上記青色非退色入出力コネクタ２ｃが接続されている。
【００１２】
上記プリント回路基板０において、上記基板１に搭載された上記非退色入出力コネクタ２の各上記黄色非退色入出力コネクタ２ａ、上記赤色非退色入出力コネクタ２ｂ、上記青色非退色入出力コネクタ２ｃと、上記電線束５の電線束５ａ、電線束５ｂ、電線束５ｃに接続された非退色性の上記電線束非退色コネクタ６の黄色電線束非退色入出力コネクタ６ａ、赤色電線束非退色入出力コネクタ６ｂ、青色電線束非退色入出力コネクタ６ｃとは、挿抜、勘合され、お互いの色は挿入する時に誤挿入されないようにするために同じ色で形成され、上記黄色非退色入出力コネクタ２ａと上記黄色電線束非退色入出力コネクタ６ａ、上記赤色非退色入出力コネクタ２ｂと上記赤色電線束非退色入出力コネクタ６ｂ、上記青色非退色入出力コネクタ２ｃと上記青色電線束非退色入出力コネクタ６ｃが接続するようになっているが、この場合退色、変色しにくい材質、色の、例えば、黄色、赤色、青色等の色で形成されている。
従って、再び使用するリサイクルの再生処置の際の清掃等の作業を軽減し、上記電線束５側の上記電線束非退色コネクタ６を誤挿入する誤作業による機器の誤動作や部品破損の発生を防止し、低コストで省資源の上記プリント回路基板０を具備する上記電子機器１０を提供することが出来るようになった。
【００１３】
【発明の効果】
本発明は、以上説明したように構成されているので、請求項１の発明によれば、１個又は複数個の回路ユニットを搭載する基板に非退色性の黄色系の黄色非退色入出力コネクタを搭載すると共に黄色非退色入出力コネクタは退色し易い退色性の退色入出力コネクタから離れた位置に配置するようにしたので、退色し易い退色性の退色入出力コネクタを使用しても、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった。
【００１４】
請求項６の発明によれば、１個又は複数個の回路ユニットを搭載する基板に非退色性の材質からなる非退色性の非退色入出力コネクタを搭載するようにしたので、非退色入出力コネクタの非退色性が更に向上して、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった。
請求項７の発明によれば、１個又は複数個の回路ユニットを搭載する基板に非退色性のアクリル樹脂材質からなる非退色性の非退色入出力コネクタを搭載するようにしたので、非退色入出力コネクタの非退色性が更に向上して、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった。
請求項８の発明によれば、１個又は複数個の回路ユニットを搭載する基板に非退色性の黄色系の黄色非退色入出力コネクタを搭載すると共に黄色非退色入出力コネクタは退色し易い退色性の自然色系の自然色退色入出力コネクタから離れた位置に配置し、赤色非退色入出力コネクタ又は青色非退色入出力コネクタは退色し易い退色性の自然色系の自然色退色入出力コネクタから近い位置に配置するようにしたので、退色し易い退色性の自然色系の自然色退色入出力コネクタを使用しても、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった
請求項９の発明によれば、１個又は複数個の回路ユニットを搭載する基板に非退色性の黄色系の黄色非退色入出力コネクタを搭載すると共に黄色非退色入出力コネクタは退色し易い退色性の白色系の白色退色入出力コネクタから離れた位置に配置し、赤色非退色入出力コネクタ又は青色非退色入出力コネクタは退色し易い退色性の白色系の白色退色入出力コネクタから近い位置に配置するようにしたので、退色し易い退色性の白色系の白色退色入出力コネクタを使用しても、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった。
請求項１０の発明によれば、１個又は複数個の回路ユニットを搭載する基板に非退色性の黄色系の黄色非退色入出力コネクタを搭載すると共に黄色非退色入出力コネクタは退色し易い退色性の乳白色系の乳白色退色入出力コネクタから離れた位置に配置し、赤色非退色入出力コネクタ又は青色非退色入出力コネクタは退色し易い退色性の乳白色系の乳白色退色入出力コネクタから近い位置に配置するようにしたので、退色し易い退色性の白色系の白色退色入出力コネクタを使用しても、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった。
【００１５】
請求項１１の発明によれば、１個又は複数個の回路ユニットを搭載する基板に非退色性の非退色入出力コネクタを搭載すると共に基板に非退色入出力コネクタが搭載される入出力コネクタ搭載面内に非退色入出力コネクタの色名を表示するようにしたので、作業者が電線束の色表示なのか電線束非退色入出力コネクタの色表示なのかの混乱を起すことが無く、再び使用するリサイクルの再生処置の際の清掃等の作業を軽減し電線束側のコネクタを誤挿入する誤作業による機器の誤動作や部品破損の発生を防止し低コストで省資源のプリント回路基板を提供することが出来るようになった。
請求項１２の発明によれば、１個又は複数個の回路ユニットを搭載する基板に非退色性の非退色入出力コネクタを搭載すると共に非退色入出力コネクタは電線束に接続された非退色性の電線束非退色コネクタと接続するようにしたので、再び使用するリサイクルの再生処置の際の清掃等の作業を更に軽減し電線束側のコネクタを誤挿入する誤作業による機器の誤動作や部品破損の発生を更に防止し更に低コストで更に省資源のプリント回路基板を提供することが出来るようになった。
請求項１３の発明によれば、１個又は複数個の回路ユニットを請求項１乃至８のいずれか一項に記載のプリント回路基板に搭載するようにしたので、再び使用するリサイクルの再生処置の際の清掃等の作業を軽減し電線束側のコネクタを誤挿入する誤作業による機器の誤動作や部品破損の発生を防止し低コストで省資源のプリント回路基板を具備する電子機器を提供することが出来るようになった。
【図面の簡単な説明】
【図１】本発明の実施の形態例を示すプリント回路基板を説明する説明図である。
【図２】本発明の他の実施の形態例を示すプリント回路基板を説明する説明図である。
【図３】本発明の他の実施の形態例を示すプリント回路基板の主要部を説明する説明図である。
【図４】本発明の他の実施の形態例を示すプリント回路基板の主要部を説明する説明図である。
【図５】本発明の他の実施の形態例を示すプリント回路基板を具備する電子機器を説明する説明図である。
【符号の説明】
０  プリント回路基板
１  基板、１ａ  回路ユニット搭載面、
１ｂ  入出力コネクタ搭載面、１ｂ１  黄（Ｙ）入出力コネクタ搭載面、
１ｂ２  赤（Ｒ）入出力コネクタ搭載面、
１ｂ３  青（Ｂ）入出力コネクタ搭載面
２  非退色入出力コネクタ、２ａ  黄色非退色入出力コネクタ、
２ａ１〜ｎ  接触ピン、
２ｂ  赤色非退色入出力コネクタ、
２ｂ１〜ｎ  接触ピン、
２ｃ  青色非退色入出力コネクタ、
２ｃ１〜ｎ  接触ピン、
２ｄ  シリーズ違い入出力コネクタ
３  非退色入出力コネクタ、３ａ  自然色退色入出力コネクタ、
３ｂ  白色退色入出力コネクタ、
３ｃ  乳白色退色入出力コネクタ
４  色名、４ａ  黄（Ｙ）、
４ｂ  赤（Ｒ）、
４ｃ  青（Ｂ）
５  電線束、５ａ  電線束、
５ｂ  電線束、
５ｃ  電線束
６  電線束非退色コネクタ、６ａ  黄色電線束非退色入出力コネクタ、
６ｂ  赤色電線束非退色入出力コネクタ、
６ｃ  青色電線束非退色入出力コネクタ
７  アドレス、７ａ  アドレス、
７ｂ  アドレス、
７ｂ  アドレス
１０  電子機器
１１  回路ユニット、１１ａ  電源制御回路ユニット、
１１ｂ  エンジン制御回路ユニット、
１１ｃ  高圧電源供給制御回路ユニット
１２  画像担持体
１３  走査ユニット
１４  給紙ユニット
１５  帯電器
１６  潜像形成手段
１７  現像ユニット
【図１】
0004593012.tif 000002
【図２】
0004593012.tif 000003
【図３】
0004593012.tif 000004
【図４】
0004593012.tif 000005
【図５】
0004593012.tif 000006